(57)【要約】【課題】保持器の柱部を内外周のリング部から段違いに突出させたスラスト円筒ころ軸受における、軸受組み立て時のころの脱落を簡単な加工で防止できるようにすることである。【解決手段】保持器本体１の内外周の各リング部２、３の柱部４を突出させた軸方向端面と反対側に、ポケット５に収納されるころ２１を、ころ中心に対して柱部４と反対側から、ころ径よりも狭い間隔で保持する複数の補助柱部１４を有する別体の補助保持具１１を連結することにより、保持器の柱部４を内外周のリング部２、３から段違いに突出させたスラスト円筒ころ軸受における、軸受組み立て時のころ２１の脱落を簡単な加工で防止できるようにした。【選択図】図１
2008249048.tif 000002
【特許請求の範囲】
【請求項１】
軌道面に放射状に配列されるスラスト円筒ころ軸受のころを収納するポケットが、内外周のリング部を繋ぐ複数の柱部で形成され、これらの柱部を、前記内外周の各リング部の一方の軸方向端面から、これらのリング部と軸方向位置が重ならないように、段違いに突出させたスラスト円筒ころ軸受用保持器において、前記内外周の各リング部の前記柱部を突出させた軸方向端面と反対側に、前記ポケットに収納されるころを、ころ中心に対して前記柱部と反対側から、ころ径よりも狭い間隔で保持する複数の補助柱部を有する別体の補助保持具を連結したことを特徴とするスラスト円筒ころ軸受用保持器。
【請求項２】
前記補助保持具を、前記内外周のリング部の一方または両方と重ね合わされる補助リング部を有するものとし、前記補助リング部に前記複数の補助柱部を繋いで、補助リング部を前記重ね合わされるリング部に連結した請求項１に記載のスラスト円筒ころ軸受用保持器。
【請求項３】
前記補助保持具の補助柱部を、前記補助リング部の前記リング部に重ね合わされる側と反対側の軸方向端面から、補助リング部と軸方向位置が重ならないように、段違いに突出させた請求項２に記載のスラスト円筒ころ軸受用保持器。
【請求項４】
前記ころを収納するポケットを形成する柱部間の間隔を、前記ころ径よりも狭くした請求項１乃至３のいずれかに記載のスラスト円筒ころ軸受用保持器。
【発明の詳細な説明】
【技術分野】
【０００１】
この発明は、スラスト円筒ころ軸受用保持器に関する。
【背景技術】
【０００２】
大負荷用のスラスト円筒ころ軸受、例えば、セメント原料等を粉砕する粉砕機の減速機等に使用されるスラスト円筒ころ軸受には、軌道面に放射状に配列されるスラスト円筒ころ軸受のころを収納するポケットを、内外周のリング部を繋ぐ複数の柱部で形成し、これらの柱部を、内外周の各リング部の一方の軸方向端面から、これらのリング部と軸方向位置が重ならないように、段違いに突出させた保持器を用いたものがある（例えば、特許文献１参照）。
【０００３】
このスラスト円筒ころ軸受用保持器は、内外周のリング部と複数の柱部が軸方向の同じ断面内に設けられ、平板のリング状素材からエンドミルでポケット孔がくり貫き加工される一般的な保持器に較べて、柱部が形成される径方向部位に段差部を設けたリング状素材を用意して、フライスで段差部を放射方向に切削するのみでポケット孔を形成できるので、加工コストが安価となる利点がある。
【０００４】
前記柱部を内外周のリング部から段違いに突出させた保持器を用いたスラスト円筒ころ軸受は、軸受組み立て時に、ポケットにころを収納しても、保持器を持ち上げるところが脱落して、組み立て作業に手間がかかるので、特許文献１に記載されたものでは、各柱部に、ポケットの内側へ延びてころを保持する落ち止め片を、裏面に突出させて設けている。
【０００５】
【特許文献１】特開平１１−１０１２４１号公報
【発明の開示】
【発明が解決しようとする課題】
【０００６】
特許文献１に記載されたスラスト円筒ころ軸受用保持器は、落ち止め片でころを保持して、軸受組み立て時のころの脱落を防止できるが、各柱部の裏面側に、ポケットの内側へ突出する落ち止め片を形成する必要があるので、柱部の加工が複雑なものとなり、加工コストが高くなる問題がある。
【０００７】
そこで、本発明の課題は、保持器の柱部を内外周のリング部から段違いに突出させたスラスト円筒ころ軸受における、軸受組み立て時のころの脱落を簡単な加工で防止できるようにすることである。
【課題を解決するための手段】
【０００８】
上記の課題を解決するために、本発明は、軌道面に放射状に配列されるスラスト円筒ころ軸受のころを収納するポケットが、内外周のリング部を繋ぐ複数の柱部で形成され、これらの柱部を、前記内外周の各リング部の一方の軸方向端面から、これらのリング部と軸方向位置が重ならないように、段違いに突出させたスラスト円筒ころ軸受用保持器において、前記内外周の各リング部の前記柱部を突出させた軸方向端面と反対側に、前記ポケットに収納されるころを、ころ中心に対して前記柱部と反対側から、ころ径よりも狭い間隔で保持する複数の補助柱部を有する別体の補助保持具を連結した構成を採用した。
【０００９】
すなわち、内外周の各リング部の柱部を突出させた軸方向端面と反対側に、ポケットに収納されるころを、ころ中心に対して柱部と反対側から、ころ径よりも狭い間隔で保持する複数の補助柱部を有する別体の補助保持具を連結することにより、保持器の柱部を内外周のリング部から段違いに突出させたスラスト円筒ころ軸受における、軸受組み立て時のころの脱落を簡単な加工で防止できるようにした。
【００１０】
前記補助保持具を、前記内外周のリング部の一方または両方と重ね合わされる補助リング部を有するものとし、前記補助リング部に前記複数の補助柱部を繋いで、補助リング部を前記重ね合わされるリング部に連結することにより、補助保持具を簡単に連結することができる。
【００１１】
前記補助保持具の補助柱部を、前記補助リング部の前記リング部に重ね合わされる側と反対側の軸方向端面から、補助リング部と軸方向位置が重ならないように、段違いに突出させることにより、保持器本体の加工と同様に、補助柱部が形成される径方向部位に段差部を設けたリング状素材を用いて、フライスで段差部を放射方向に切削するのみで、簡単に補助柱部を形成することができる。
【００１２】
前記ころを収納するポケットを形成する柱部間の間隔を、前記ころ径よりも狭くすることにより、ころがポケットから上下両方向に抜け落ちないようにし、ころを保持器に組み入れた状態で搬送することができる。
【発明の効果】
【００１３】
本発明のスラスト円筒ころ軸受用保持器は、内外周の各リング部の柱部を突出させた軸方向端面と反対側に、ポケットに収納されるころを、ころ中心に対して柱部と反対側から、ころ径よりも狭い間隔で保持する複数の補助柱部を有する別体の補助保持具を連結するようにしたので、保持器の柱部を内外周のリング部から段違いに突出させたスラスト円筒ころ軸受における、軸受組み立て時のころの脱落を簡単な加工で防止することができる。
【００１４】
前記補助保持具を、内外周のリング部の一方または両方と重ね合わされる補助リング部を有するものとし、補助リング部に複数の補助柱部を繋いで、補助リング部を重ね合わされるリング部に連結することにより、補助保持具を簡単に連結することができる。
【００１５】
前記補助保持具の補助柱部を、補助リング部のリング部に重ね合わされる側と反対側の軸方向端面から、補助リング部と軸方向位置が重ならないように、段違いに突出させることにより、保持器本体の加工と同様に、補助柱部が形成される径方向部位に段差部を設けたリング状素材を用いて、フライスで段差部を放射方向に切削するのみで、簡単に補助柱部を形成することができる。
【００１６】
前記ころを収納するポケットを形成する柱部間の間隔を、ころ径よりも狭くすることにより、ころがポケットから上下両方向に抜け落ちないようにし、ころを保持器に組み入れた状態で搬送することができる。
【発明を実施するための最良の形態】
【００１７】
以下、図面に基づき、本発明の実施形態を説明する。このスラスト円筒ころ軸受用保持器は、図１に示すように、内外周のリング部２、３を繋ぐ複数の柱部４で、ころ２１を収納するポケット５が形成され、各柱部４を、内外周の各リング部２、３の一方の軸方向端面から、これらのリング部２、３と軸方向位置が重ならないように、段違いに突出させた保持器本体１と、内外周のリング部２、３と重ね合わされる内外周の補助リング部１２、１３を繋ぐ複数の補助柱部１４で、ポケット５に収納される各ころ２１を、ころ中心に対して柱部４と反対側から保持する補助保持具１１とから成り、各リング部２、３と各補助リング部１２、１３がボルト６で結合されて、補助保持具１１が保持器本体１に連結されるようになっている。
【００１８】
前記補助保持具１１の各補助柱部１４も、保持器本体１の各柱部４と同様に、内外周の各補助リング部１２、１３の各リング部２、３に重ね合わされる側と反対側の軸方向端面から、各補助リング部１２、１３と軸方向位置が重ならないように、段違いに突出させて形成されている。図示は省略するが、保持器本体１の柱部４と補助保持具１１の補助柱部１４は、これらの柱部４や補助柱部１４が形成される径方向部位に段差部を設けたリング状素材を用いて、フライスで段差部を放射方向に切削することにより形成されている。
【００１９】
図２および図３（ａ）、（ｂ）は、前記保持器を用いたスラスト円筒ころ軸受を示す。このスラスト円筒ころ軸受は、軌道輪２２の軌道面２２ａに放射状に２個ずつ配列されたころ２１を、前記保持器の各ポケット５に収納したものであり、保持器本体１の内周のリング部２の内径面２ａが、軸（図示省略）の外径面に案内される径方向の案内面とされ、柱部４が形成された段差部４ａの内径側端面が、軸の外径面と干渉しないように、リング部２の内径面２ａから逃がされている。なお、各ポケット５に収納されるころ２１の個数は２個に限定されることはない。
【００２０】
また、前記各リング部２、３の柱部４が突出する側と反対側の軸方向端面２ｂ、３ｂは、軌道輪２２の軌道面２２ａに案内される軸方向の案内面とされ、これらの軸方向端面２ｂ、３ｂに設けられた凹段差面２ｃ、３ｃに、補助保持具１１の各補助リング部１２、１３が重ね合わされてボルト６で結合されている。なお、リング部２の軸方向端面２ｂには、軌道輪２２の内径面２２ｂで径方向を案内される環状凸部２ｄが形成されている。
【００２１】
図４に示すように、前記保持器本体１の柱部４と補助保持具１１の補助柱部１４は、ポケット５に収納されたころ２１の中心に対して上下に反対側に配設されるとともに、柱部４間の間隔と補助柱部１４間の間隔は、いずれもころ２１の直径よりも狭く形成されている。したがって、軸受組み立て時にころ２１がポケット５から脱落することはなく、かつ、ころ２１がポケット５から上下両方向に抜け落ちないので、ころ２１を保持器に組み入れた状態で搬送することができる。
【００２２】
上述した実施形態では、補助保持具を、保持器本体の内外周の両方のリング部に重ね合わされる２つの補助リング部を設け、各補助柱部の両端をこれらのリング部に繋いだものとしたが、内外周のいずれか一方のリング部に重ね合わされる１つの補助リング部を設け、各補助柱部の一端のみをこの補助リング部に繋いだものとすることもできる。
【図面の簡単な説明】
【００２３】
【図１】スラスト円筒ころ軸受用保持器の実施形態を示す一部省略分解斜視図
【図２】図１の保持器を用いたスラスト円筒ころ軸受を示す平面図
【図３】ａ、ｂは、それぞれ図２のIIIa−IIIa線とIIIb−IIIb線に沿った断面図
【図４】図３（ａ）のIV−IV線に沿った断面図
【符号の説明】
【００２４】
１  保持器本体
２、３  リング部
２ａ  内径面
２ｂ、３ｂ  軸方向端面
２ｃ、３ｃ  凹段差面
２ｄ  環状凸部
４  柱部
４ａ  段差部
５  ポケット
６  ボルト
１１  補助保持具
１２、１３  補助リング部
１４  補助柱部
２１  ころ
２２  軌道輪
２２ａ  軌道面
２２ｂ  内径面
【図１】
2008249048.tif 000003
【図２】
2008249048.tif 000004
【図３】
2008249048.tif 000005
【図４】
2008249048.tif 000006